【手続補正書】
【提出日】平成18年5月18日(2006.5.18)
【手続補正１】
【補正対象書類名】明細書
【補正対象項目名】００２０
【補正方法】変更
【補正の内容】
【００２０】
次に一括払出装置８を説明する。
一括払出装置８は、複数枚の紙幣４を払出前保留部１２に一時保留し、一時保留した紙幣４を一括して払出口１３に払い出す機能を有している。
一括払出装置８は、一つのユニットとして構成され、紙幣の払出前保留部１２、払出装置１４、及びシャッタ装置１６を含んでいる。
まず、払出前保留部１２を説明する。
払出前保留部１２は、搬送装置６によって送り出される紙幣４を積層して保留する機能を有している。
【手続補正２】
【補正対象書類名】明細書
【補正対象項目名】００２６
【補正方法】変更
【補正の内容】
【００２６】
スライダ４２は、底板１８に沿って移動可能なステー４４、及びステー４４の端部から垂直上方に側板２２に沿って立ち上がる被動プレートを有する。
ステー４４の左端部は垂直上方に立ち上がり、板バネ３２の両サイドに位置する押出片４６Ｂを構成している。
押出片４６Ｂは、底板１８に形成された通孔４８(図５)を通って払出前保留部１２の長手方向に往復移動可能である。
被動プレート４６の上部には、一対の被動ピン４７F及び４７Ｂが所定の間隔で固定されている。
【手続補正３】
【補正対象書類名】明細書
【補正対象項目名】００２９
【補正方法】変更
【補正の内容】
【００２９】
押動片６０は、タイミングプーリ５２、５６の上側に位置する場合、被動ピン４７Ｆを図３において右方へ押し、払出前保留部１２の紙幣４を押出片４６によって押動し、スライダ４２を押出位置に移動させることができる。
押動片６０は、スライダ４２を押出位置に移動させた後、タイミングプーリ５６に沿って回動するため、被動ピン４７Ｆから外れベルト５８の下側に位置する。
【手続補正４】
【補正対象書類名】明細書
【補正対象項目名】００３０
【補正方法】変更
【補正の内容】
【００３０】
押動片６０が下方に位置した場合、被動ピン４７Ｂを図３において左方へ押動してスライダ４２を図５に示す待機位置へ移動させて後、被動ピン４７Ｂから外れ、タイミングプーリ５２を回り込んだところで図示しないセンサに検知されて停止される。
払出前保留部１２に保留された紙幣４は、一括して払出装置１４によって払出口１３に払い出される。
したがって、被動ピン４７Ｆ及び４７Ｂは、図３に示すように、斜めの直線上に位置している。
【手続補正５】
【補正対象書類名】明細書
【補正対象項目名】００３３
【補正方法】変更
【補正の内容】
【００３３】
ソレノイド７４は、搬送装置６の駆動モータ７の逆転と連動してオンにされ、リンク７２を介してピニオンギヤ６６を移動させてドリブンギヤ７０に噛み合わせる。
これにより、押出駆動装置３６が搬送装置６から駆動されるようになる。  
リンク７２は、固定軸７６に回動可能なレバー７８、レバー７８に形成したカム溝８０及びレバー７８の先端部に固定され、一部が前記カム溝８０に挿入されたピン８２を含んでいる。
【手続補正６】
【補正対象書類名】明細書
【補正対象項目名】００３４
【補正方法】変更
【補正の内容】
【００３４】
次にシャッタ装置１６を説明する。
シャッタ装置１６は、搬送装置６によって高速で払出前保留部１２に送り込まれた紙幣４が払出口１３に飛び出さないようにする機能を有している。
図２に示すように、シャッタ装置１６は、前記従動軸５４に固定したギヤ８６に噛み合うギヤ８８が固定された回転軸９０に取り付けたワンウエイクラッチ９２、ワンウエイクラッチ９２に固定したシャッタレバー９４及びシャッタレバー９４を付勢する付勢手段であるスプリング９６を含んでいる。
【手続補正７】
【補正対象書類名】明細書
【補正対象項目名】００３６
【補正方法】変更
【補正の内容】
【００３６】
インナーレース１０２を囲うように位置するリング状のアウターレース１０４の内面に、Ｕ形の保持溝１１２が形成されている。
保持溝１１２は、ボール１０６の直径よりもインナーレース１０２の外周面から離れている開放壁１１４及びその開放壁１１４からインナーレース１０２に近づくように傾斜するロック壁１１６が形成されている。
【手続補正８】
【補正対象書類名】明細書
【補正対象項目名】００４０
【補正方法】変更
【補正の内容】
【００４０】
この紙幣ガイド１２６は、紙幣通路３３をシャッタレバー９４により確実に閉止するために形成したものであるので、底板１８に長孔を形成し、その長孔にシャッタレバー９４の下端部が位置するようにしてもよい。
また、回転軸９０が図５において反時計方向に回転し、かつ、シャッタレバー９４が反時計方向に回動される場合、図７(Ｂ)に示すように、ボール１０６は相対的に開放壁１１４側に移動するので、シャッタレバー９４が反時計方向に回動し、図６に示すように紙幣ガイド１２６とシャッタレバー９４との間を紙幣４が通過可能になる。
この位置がシャッタレバー９４の開放位置１２８である。
【手続補正９】
【補正対象書類名】明細書
【補正対象項目名】００４５
【補正方法】変更
【補正の内容】
【００４５】
したがって、タイミングプーリ５２も同方向へ回転するのでタイミングベルト５８は同方向へ循環する。
ベルト５８の移動により、押動片６０が被動ピン４７Ｆを押すので、スライダ３４は図５において右方へ移動される。
この移動によって、押出片４６Ｂは紙幣４の左端部を押して紙幣通路３３を右方へ押し進める。
【手続補正１０】
【補正対象書類名】明細書
【補正対象項目名】００４６
【補正方法】変更
【補正の内容】
【００４６】
この移動途中、紙幣４の先端は、シャッタレバー９４を図５において反時計方向へ押す。
このとき従動軸５４は時計方向へ回転しているので、ギヤ８６及び８８を介して回転軸９０は図７(Ｂ)に示すように、反時計方向へ回動しているので、ボール１０６は相対的に開放壁１１４側に移動する。
これにより、シャッタレバー９４は反時計方向へ回動して開放位置１２８に移動するので、紙幣４の先端部はシャッタレバー９４の下端と紙幣ガイド１２６の間を通って払出口１３に突出する。
【手続補正１１】
【補正対象書類名】明細書
【補正対象項目名】００５０
【補正方法】変更
【補正の内容】
【００５０】
また、払出装置は搬送払出連動装置によって搬送装置から駆動されるので、払出装置用の駆動装置を新たに設ける必要がないので、小型かつ安価である。
さらに、払出装置が作動しない場合、シャッタ装置のレバーも開放位置に移動しない。
よって、シャッタ装置のレバーが開放位置に移動せずに払出装置で無理に払い出すことによる紙幣ジャムを防止できる。
【手続補正１２】
【補正対象書類名】図面
【補正対象項目名】図１
【補正方法】変更
【補正の内容】
【図１】
2004348603.tif 000001
【手続補正１３】
【補正対象書類名】図面
【補正対象項目名】図２
【補正方法】変更
【補正の内容】
【図２】
2004348603.tif 000002
【手続補正１４】
【補正対象書類名】図面
【補正対象項目名】図３
【補正方法】変更
【補正の内容】
【図３】
2004348603.tif 000003
【手続補正１５】
【補正対象書類名】図面
【補正対象項目名】図４
【補正方法】変更
【補正の内容】
【図４】
2004348603.tif 000004
【手続補正１６】
【補正対象書類名】図面
【補正対象項目名】図５
【補正方法】変更
【補正の内容】
【図５】
2004348603.tif 000005
【手続補正１７】
【補正対象書類名】図面
【補正対象項目名】図６
【補正方法】変更
【補正の内容】
【図６】
2004348603.tif 000006
【手続補正１８】
【補正対象書類名】図面
【補正対象項目名】図７
【補正方法】変更
【補正の内容】
【図７】
2004348603.tif 000007